(57)【特許請求の範囲】
【請求項１】
湯水混合室で温度調整された湯水混合水を下流の止水・吐水弁で流量調整し、これを吐水流路から吐水するよう構成されており、
湯水混合水栓本体内に設けられたケース体に固定され、上流の湯および水の取入側にそれぞれ連通される湯の弁孔および水の弁孔とが開設されたディスク状セラミック製固定弁体に、前記両弁孔の開口域の一部あるいは前記両弁孔の一方の開口域を覆う状態で湯水の混合割合を調節するためのディスク状セラミック製可動弁体が前記固定弁体の下流側に摺動自在かつ回動自在に重ね合わされ、
更に、湯の取入口および水の取入口をケース体の前記固定弁体の位置よりも上流側に設けるとともに、
前記可動弁体よりも下流側に位置する前記止水・吐水弁に湯水混合水流路を介して連通される湯水混合水の出口をケース体の前記固定弁体の位置よりも下流側に設けた湯水混合栓であって、
ディスク状セラミック製固定弁体に開設された前記湯の弁孔および前記水の弁孔の上流側の内壁を覆うように、それぞれシール用パッキンが設けられているとともに、
前記湯の弁孔および前記水の弁孔の下流側の内壁は、それぞれ下流に向かって末広がり状のテーパ面を有するとともに、
ディスク状セラミック製固定弁体の上面をディスク状セラミック製可動弁体の下面が回動自在に摺動するようディスク状セラミック製可動弁体の下面の形状を半円形としてある一方、ディスク状セラミック製可動弁体は、温度調整ハンドルに固着された弁棒の下面に形成された溝に係合するよう形成された係合突起を上面に有することを特徴とする温度調整用セラミック製弁体を備えた湯水混合水栓。
【請求項２】
給湯配管および給水配管が取り付けられた壁に設けた開口に装着される縦長のハウジングを有し、湯水混合室で温度調整された湯水混合水を下流の止水機能付き流量調整部で流量調整し、これを吐水流路から吐水するよう構成されており、
温度調整部を、
前記ハウジング内に設置された湯水混合水栓本体内に設けられたケース体と、
湯の弁孔および水の弁孔を有し、前記ケース体に固定されるディスク状セラミック製固定弁体と、
この固定弁体の下流側に摺動自在かつ回動自在に重ね合わせて設けられ、前記両弁孔の開口域の一部あるいは前記両弁孔の一方の開口域を覆う状態で湯水の混合割合を調節するためのディスク状セラミック製可動弁体と、
ケース体の前記固定弁体の位置よりも上流側に設けた湯の取入口および水の取入口と、  前記ケース体の前記固定弁体の位置よりも下流側に設けられ前記吐水流路に連通する湯水混合水の出口とで構成するとともに、
前記流量調整部は、
前記吐水流路の途中に設けた止水・吐水弁と、
この止水・吐水弁の弁棒に回動力が伝達される流量調整操作部材と、前記吐水流路の最下流端に設けた水栓側継手とを備え、
更に、前記流量調整部には、洗濯機、浄水器、食器洗い器、湯沸かし器等の機器のホースの継手が着脱自在に接続される一方、前記流量調整操作部材が止水位置でその軸方向に押動されるのに伴い、前記ホースの側の継手を前記水栓側継手から接続解除させる接続解除機構と、押圧操作により、前記流量調整操作部材の止水位置での軸方向への押動を規制する押動ロック手段とを設けたことを特徴とする温度調整用セラミック製弁体を備えたた湯水混合栓であって、
ディスク状セラミック製固定弁体に開設された前記湯の弁孔および前記水の弁孔の上流側の内壁を覆うように、それぞれシール用パッキンが設けられているとともに、
前記湯の弁孔および前記水の弁孔の下流側の内壁は、それぞれ下流に向かって末広がり状のテーパ面を有するとともに、
ディスク状セラミック製固定弁体の上面をディスク状セラミック製可動弁体の下面が回動自在に摺動するようディスク状セラミック製可動弁体の下面の形状を半円形としてある一方、ディスク状セラミック製可動弁体は、温度調整ハンドルに固着された弁棒の下面に形成された溝に係合するよう形成された係合突起を上面に有することを特徴とする温度調整用セラミック製弁体を備えた湯水混合水栓。
【請求項３】
前記ハウジング内において、前記流量調整部を前記温度調整部よりも上位に設置するとともに、前記流量調整部において、前記流量調整操作部材を前記水栓側継手よりも上位に設置してある請求項２に記載の温度調整用セラミック製弁体を備えた湯水混合水栓。
【発明の詳細な説明】
【０００１】
【発明の属する技術分野】
この発明は、温度調整用セラミック製弁体を備えた湯水混合水栓に関する。
【０００２】
【従来の技術】
湯水混合室で温度調整された湯水混合水を下流の止水・吐水弁で流量調整し、これを吐水流路から吐水する湯水混合栓として、図４、図５に示すものがある。図４、図５において、この湯水混合栓５０では、温度調整ハンドル５１を矢印Ｃ1 あるいは矢印Ｃ2 で示す何れかの方向に回動操作して一旦湯水混合水を温度調整すると、後は温度調整バルブ機構５２よりも下流側に位置する止水・吐水弁の動きに連動した止水ハンドル５４を操作するだけで流量調整された湯水混合水を得ることができる。なお。７０はカラン、７１は給湯配管中の給湯流路と湯導入流路７２を連通する偏心管、７３は給水配管中の給水流路と水導入流路７４を連通する偏心管である。
【０００３】
【発明が解決しようとする課題】
しかし、前記温度調整バルブ機構５２においては、湯水混合栓本体５５に固定状態で嵌め込まれた嵌め込みシート５６およびその押さえシート５７によって左右水平方向（両矢印で示すＢ方向）の移動が押さえられた弁棒５８の回転によりピン５９をガイド部材として湯入口６０および水入口６１を開閉して温度調整するために左右水平方向に移動するバルブ６２がシール用のＯリング６３上を摺動することから、Ｏリング６３の耐久性に問題があった。また、前記温度調整バルブ機構５２に対応する形で、前記水平方向における下流側に向かって水入口６１、湯入口６０および湯水混合室６４が順次配置されているので、その分湯水混合水栓本体５１における左右水平方向の長さが大きくなる上、複雑な通水流路が形成されることになる。なお、湯水混合室６４を構成するシート６５の左端と前記嵌め込みシート５６の右端間の長さＬは、４８ｍｍと長い。
【０００４】
この発明は、上述の事柄に留意してなされたもので、その目的は、Ｏリングを用いることなく耐久性を向上させるとともにコンパクト化を実現でき、かつ、簡易な通水流路を形成できる温度調整用セラミック製弁体を備えた湯水混合水栓を提供することである。
【０００５】
【課題を解決するための手段】
上記目的を達成するため、この発明は、湯水混合室で温度調整された湯水混合水を下流の止水・吐水弁で流量調整し、これを吐水流路から吐水するよう構成されており、
湯水混合水栓本体内に設けられたケース体に固定され、上流の湯および水の取入側にそれぞれ連通される湯の弁孔および水の弁孔とが開設されたディスク状セラミック製固定弁体に、前記両弁孔の開口域の一部あるいは前記両弁孔の一方の開口域を覆う状態で湯水の混合割合を調節するためのディスク状セラミック製可動弁体が前記固定弁体の下流側に摺動自在かつ回動自在に重ね合わされ、
更に、湯の取入口および水の取入口をケース体の前記固定弁体の位置よりも上流側に設けるとともに、
前記可動弁体よりも下流側に位置する前記止水・吐水弁に湯水混合水流路を介して連通される湯水混合水の出口をケース体の前記固定弁体の位置よりも下流側に設けた湯水混合栓であって、
ディスク状セラミック製固定弁体に開設された前記湯の弁孔および前記水の弁孔の上流側の内壁を覆うように、それぞれシール用パッキンが設けられているとともに、
前記湯の弁孔および前記水の弁孔の下流側の内壁は、それぞれ下流に向かって末広がり状のテーパ面を有するとともに、
ディスク状セラミック製固定弁体の上面をディスク状セラミック製可動弁体の下面が回動自在に摺動するようディスク状セラミック製可動弁体の下面の形状を半円形としてある一方、ディスク状セラミック製可動弁体は、温度調整ハンドルに固着された弁棒の下面に形成された溝に係合するよう形成された係合突起を上面に有する。
【０００６】
また、この発明は別の観点から、給湯配管および給水配管が取り付けられた壁に設けた開口に装着される縦長のハウジングを有し、湯水混合室で温度調整された湯水混合水を下流の止水機能付き流量調整部で流量調整し、これを吐水流路から吐水するよう構成されており、
温度調整部を、
前記ハウジング内に設置された湯水混合水栓本体内に設けられたケース体と、
湯の弁孔および水の弁孔を有し、前記ケース体に固定されるディスク状セラミック製固定弁体と、
この固定弁体の下流側に摺動自在かつ回動自在に重ね合わせて設けられ、前記両弁孔の開口域の一部あるいは前記両弁孔の一方の開口域を覆う状態で湯水の混合割合を調節するためのディスク状セラミック製可動弁体と、
ケース体の前記固定弁体の位置よりも上流側に設けた湯の取入口および水の取入口と、  前記ケース体の前記固定弁体の位置よりも下流側に設けられ前記吐水流路に連通する湯水混合水の出口とで構成するとともに、
前記流量調整部は、
前記吐水流路の途中に設けた止水・吐水弁と、
この止水・吐水弁の弁棒に回動力が伝達される流量調整操作部材と、前記吐水流路の最下流端に設けた水栓側継手とを備え、
更に、前記流量調整部には、洗濯機、浄水器、食器洗い器、湯沸かし器等の機器のホースの継手が着脱自在に接続される一方、前記流量調整操作部材が止水位置でその軸方向に押動されるのに伴い、前記ホースの側の継手を前記水栓側継手から接続解除させる接続解除機構と、押圧操作により、前記流量調整操作部材の止水位置での軸方向への押動を規制する押動ロック手段とを設けたことを特徴とする温度調整用セラミック製弁体を備えたた湯水混合栓であって、
ディスク状セラミック製固定弁体に開設された前記湯の弁孔および前記水の弁孔の上流側の内壁を覆うように、それぞれシール用パッキンが設けられているとともに、
前記湯の弁孔および前記水の弁孔の下流側の内壁は、それぞれ下流に向かって末広がり状のテーパ面を有するとともに、
ディスク状セラミック製固定弁体の上面をディスク状セラミック製可動弁体の下面が回動自在に摺動するようディスク状セラミック製可動弁体の下面の形状を半円形としてある一方、ディスク状セラミック製可動弁体は、温度調整ハンドルに固着された弁棒の下面に形成された溝に係合するよう形成された係合突起を上面に有する。
【０００７】
【発明の実施の形態】
以下、この発明の実施の形態を図面を参照しながら説明する。
図１〜図３は、この発明の一実施形態を示す。
【０００８】
図１は、給湯配管、給水配管から湯水混合水を得るため、例えば洗濯機の給水ホース（ソケット）を差し込む水道用コンセントタイプの湯水混合水栓の正面図を示し、図２は、その構成部品を示し、図３は、湯水混合水栓本体内に設置された温度調整部を示す。
【０００９】
図１〜図３において、水道用コンセントタイプの湯水混合水栓１は、正面視矩形の薄型箱状体で、例えば台所などの壁に設けた開口に埋め込まれる形で設置される。そして、湯水混合水栓１の上位に設置された流量調整部２と下位に設置された温度調整部３がハウジング４で覆われた形で構成されている。そして、ハウジング４の上位に形成された開口５ａ内には、流量調整操作部材としての流量調整ハンドル６と流量調整ならびに温度調整された湯水混合水を吐水する吐水口に設けられた水栓側継手７とが位置する。また、ハウジング４の下位に形成された開口５ｂ内には、温度調整ハンドル８が位置する。
【００１０】
温度調整部３において、湯水混合水栓本体９の下位に形成された温度調整室１０内に、取り替え自在なカートリッジ１１が温度調整室１０と水密状態に装着されている。カートリッジ１１のケース体１２は底部側に湯の取入口１３および水の取入口１４を有する。なお、図２におけるカートリッジ１１の断面形状は、図３（Ａ）におけるａ−ａ’線の方向から見た図である。
【００１１】
前記湯の取入口１３および水の取入口１４の下流側には、ケース体１２に水密状態に固定されるディスク状セラミック製固定弁体１５が位置する。この固定弁体１５は、湯の取入口１３に連通する湯の弁孔１６と水の取入口１４に連通する水の弁孔１７を有する〔図３（Ｃ）参照〕。更に、両弁孔１６，１７には各弁孔１６，１７の上流側の内壁を覆うようにシール用パッキン１８が設けられている。また、湯の弁孔１６および前記水の弁孔１７の下流側の内壁は、それぞれ下流に向かって末広がり状のテーパ面Ｔを有する。
【００１２】
１９は、固定弁体１５の上面１５ａを回動自在に摺動するディスク状セラミック製可動弁体で、下面１９ａの形状は図３（Ｄ）に示すように半円形である。つまり、固定弁体１５の上面１５ａを可動弁体１９の下面１９ａが回動自在に摺動する。この可動弁体１９は前記両弁孔１６，１７の開口域の一部〔図３（Ｄ）参照〕あるいは前記両弁孔１６，１７の一方の開口域を覆う状態で湯水の混合割合を調節する。一方、可動弁体１９の上面１９ｂは、図３（Ｂ）に示すように、平面視Ｔ字型の係合突起２０が形成されている。
【００１３】
２１は、温度調整ハンドル８に固着された弁棒で、その軸方向（Ａ方向）の移動が押さえられた状態で軸２２のまわりに回転可能になっている。この弁棒２１の下面１９ａの形状は、可動弁体１９の上面１９ｂの係合突起２０に係合する平面視Ｔ字型の溝３０形状に形成されている。
【００１４】
２３は、湯水混合水の複数の出口で、ケース体１２の周壁で、固定弁体１５の位置よりも下流側に設けられている。２４は湯水混合室、２５は、湯水混合室２４から出口２３を介して連通する湯水混合水流路で、流量調整部２の吐水流路２６に連通する。
【００１５】
一方、流量調整部２は、本出願人による特願平１０−１１５９６６号の明細書、図面に記載されているように、吐水流路２６の途中に設けた止水・吐水弁部３１と、この止水・吐水弁部の弁棒に回動力が伝達される前記流量調整ハンドル６と、吐水流路２６の最下流端に設けた前記水栓側継手７とを備え、更に、流量調整部２には、例えば洗濯機のホースの継手（ソケット）が着脱自在に接続される一方、前記流量調整ハンドル６が止水位置（図１の閉位置）でその軸方向に押動されるのに伴い、洗濯機のホースの側の継手を水栓側継手７から接続解除させる接続解除機構３２と、押圧操作により、前記流量調整ハンドル６の前記止水位置での軸方向への押動を規制する押動ロック手段（ロックボタン）３３とを設けている。
【００１６】
すなわち、（１）流量調整ハンドル６を閉位置に合わせ、続いて、（２）ロックボタン３３を押し、しかる後、（３）流量調整ハンドル６を軸方向へ押動してはじめて洗濯機のホースの継手が外せるようにしている。このように流量調整ハンドル６が閉位置に回されている状態で、ロックボタン３３を押して流量調整ハンドル６をロックしておけば、幼児などのいたづらにより流量調整ハンドル６が不用意に押動されて、湯水混合水栓１から洗濯機のホースが外れるのを確実に防止できる。
【００１７】
なお、図３（Ａ）において、ケース体１２の上面と下面間の長さＭは３１．５ｍｍである。この長さは、従来の温度調整バルブ機構５２における４８ｍｍという長さに比して短くなっている。よって、温度調整バルブ機構５２から流量調整部２に変更すれば、図４、図５の従来タイプの湯水混合水栓も水道用コンセントタイプの湯水混合水栓１と同様にコンパクト化が可能である。なお、湯水混合水栓１の厚みＫは６０〜８０ｍｍであり、薄型にでき、コンパクト化を図ることができる。また、横の長さＰは９０〜１１０ｍｍであり、縦の長さＱは１５０〜８０ｍｍである。
【００１８】
また、Ｏリングを用いることなくセラミック製の弁体１５，１９を水密状態に構成して温度調整を行ったので、耐久性を向上させることができる。
【００１９】
更に、湯の取入口１３および水の取入口１４と湯水混合水の出口２３をコンパクトなケース体１２に設けたので、簡易な通水流路を形成できる。
【００２０】
【発明の効果】
この発明では、温度調整部をＯリングを用いることなくセラミック製の弁体を水密状態に構成して温度調整を行ったので、耐久性を向上させることができる。
【００２１】
また、温度調整部の湯の取入口および水の取入口と湯水混合水の出口をコンパクトなケース体に設けたので、簡易な通水流路を形成できる。
【００２２】
その結果、温度調整部をコンパクト化を図ることができ、これを給湯配管、給水配管から湯水混合水を得るため、例えば洗濯機の給水ホース（ソケット）を差し込む水道用コンセントタイプの湯水混合水栓に使用すれば、薄型タイプのものを実現できる。
【００２３】
更に、流量調整部に接続解除機構を設けているので、水栓側継手からの洗濯機、浄水器、食器洗い器、湯沸かし器等の機器のホースの継手の接続解除を、流量調整操作部材を押し込むワンタッチ操作により簡単に行える。
【００２４】
更に、流量調整部に押動ロック手段を設けているので、流量調整操作部材が閉位置に回されている状態で、押動ロック手段をロック状態に設定することにより、幼児などのいたづらにより流量調整操作部材が不用意に押動されて、湯水混合水栓から例えば洗濯機のホースが外れるのを確実に防止できる。
【図面の簡単な説明】
【図１】    この発明の一実施形態を示す正面図である。
【図２】  上記実施形態を示す構成説明図である。
【図３】  （Ａ）は、上記実施形態に使用される温度調整用セラミック製弁体を備えたカートリッジを示す構成説明図図である。
（Ｂ）は、上記実施形態に使用される弁棒およびディスク状セラミック製可動弁体の斜視図である。
（Ｃ）は、上記実施形態に使用されるディスク状セラミック製可動弁体およびディスク状セラミック製固定弁体の平面図である。
（Ｄ）は、上記実施形態に使用されるディスク状セラミック製可動弁体とディスク状セラミック製固定弁体の位置関係を説明するための図である。
【図４】  従来例を示す要部構成説明図である。
【図５】  従来例を示す平面図である。
【符号の説明】
１…湯水混合水栓、２…流量調整部、３…温度調整部、６…流量調整ハンドル、８…温度調整ハンドル，９…湯水混合水栓本体、１２…ケース体、１３…湯の取入口、１４…水の取入口、１５…ディスク状セラミック製固定弁体、１５ａ…固定弁体の上面、１６…湯の弁孔、１７…水の弁孔、１８…シール用パッキン、１９…ディスク状セラミック製可動弁体、１９ａ…弁棒の下面、１９ｂ…可動弁体の上面、２０…係合突起、２１…弁棒、２３…湯水混合水出口、２４…湯水混合室、２５…湯水混合水流路、３０…溝、Ｔ…末広がり状のテーパ面。
【図１】
0004410355.tif 000002
【図２】
0004410355.tif 000003
【図３】
0004410355.tif 000004
【図４】
0004410355.tif 000005
【図５】
0004410355.tif 000006